(57)【要約】【課題】  電話回線に接続されたモジュラージャックを備えてさえいれば、有資格者によらずとも誰でもが自分で配線できることにより、工事費を節減でき、施工日時の調整を行うこと必要がなく、それにより小規模ＰＢＸの導入を促進することができる小規模ＰＢＸ用接続ボックスを提供する。【解決手段】  小規模ＰＢＸの主装置に接続可能な外線数に対応した数の外線モジュラージャックと、主装置に接続可能な内線電話機の数に対応した数の電話機モジュラージャックと、ファクシミリを接続するためのＦＡＸモジュラージャックと、各モジュラージャックと主装置をそれぞれ接続するための接続コードとを備えている。各モジュラージャックの近傍位置には各モジュラージャックに接続されるべき接続先を示す文字および／または絵からなる指示マークがそれぞれ付されている。【選択図】  図１
2005243417.tif 000002
【特許請求の範囲】
【請求項１】
小規模ＰＢＸの主装置と該主装置に接続される汎用通信端末機器とを接続するための接続ボックスであって、前記主装置に接続可能な外線数に対応した数の外線モジュラージャックと、前記主装置に接続可能な内線電話機の数に対応した数の電話機モジュラージャックと、ファクシミリを接続するためのＦＡＸモジュラージャックと、前記各モジュラージャックと主装置をそれぞれ接続するための接続コードとを備え、前記各モジュラージャックの近傍位置には各モジュラージャックに接続されるべき接続先を示す文字および／または絵からなる指示マークがそれぞれ付されている、接続ボックス。
【発明の詳細な説明】
【技術分野】
【０００１】
本発明は、一般的にビジネスホンと称されている小規模ＰＢＸのための接続ボックスに関するものである。
【背景技術】
【０００２】
ビジネスホンと称されている小規模ＰＢＸは、接続する外線の数が２〜３回線、使用する内線電話機の数が１０〜１２台程度であり、その他にファクシミリやＬＡＮ等が接続できるように構成されたものであり、利用度が高い割には設備費が廉価であり、大規模な工事を必要としない等の理由により多岐に渡り導入され利用されている。
【０００３】
一方、小規模ＰＢＸの主装置を外線に接続する工事、主装置と内線電話機やファクシミリ等の通信端末機器との間の配線接続工事は工事担任者資格者等の有資格者以外の者が行うことを禁止している。このため、ビジネスホンを導入しようとすると、配線接続工事のための費用がかかるだけでなく、工事日時の調整、工事時間中における通常業務の中断等を必要とする煩雑さがある。そのため、個人商店等のような場合、小規模ＰＢＸの利点は理解していても、その導入に難色示す要因の一つとなっていた。
【非特許文献１】パナソニックコミュニケーションズ株式会社発行のデジタルステーションカタログ（Acsol-V512）
【発明の開示】
【発明が解決しようとする課題】
【０００４】
本発明は、電話回線に接続されたモジュラージャックを備えてさえいれば、有資格者によらずとも誰でもが自分で配線できることにより、工事費を節減でき、施工日時の調整を行うこと必要がなく、それにより小規模ＰＢＸの導入を促進することができる小規模ＰＢＸ用接続ボックスを提供しようとするものである。
【課題を解決するための手段】
【０００５】
本発明の小規模ＰＢＸ用接続ボックスは、小規模ＰＢＸの主装置と該主装置に接続される汎用通信端末機器とを接続するための接続ボックスである。本接続ボックスは、小規模ＰＢＸの主装置に接続可能な外線数に対応した数の外線モジュラージャックと、主装置に接続可能な内線電話機の数に対応した数の電話機モジュラージャックと、ファクシミリを接続するためのＦＡＸモジュラージャックと、各モジュラージャックと主装置をそれぞれ接続するための接続コードとを備えている。各モジュラージャックの近傍位置には各モジュラージャックに接続されるべき接続先を示す文字および／または絵からなる指示マークがそれぞれ付されている。
【０００６】
有資格者は、使用者から希望する使用状況、すなわち、使用する回線数、使用する汎用通信端末機器の種別および数を聞き取り、それに対応した配線を小規模ＰＢＸの主装置と接続ボックスとの間で行う。主装置と接続ボックスとの間の配線作業が完了すると、回線と主装置との間の接続並びに主装置と汎用通信端末機器との間の接続は、モジュラープラグを備えた接続コードを用いて、回線のモジュラージャックと接続ボックスとの間並びに接続ボックスと汎用通信端末機器との間をそれぞれ接続することによって行われるため、資格のない者でも作業することができる。このとき、接続ボックスの各モジュラージャック近傍に設けられた指示マークを参照することにより、無資格者であってもそのモジュラージャックに繋ぐべき機器を間違えることなしに確実に接続することができる。
【０００７】
前述した主装置と接続ボックスとの間の配線作業は、作業効率の観点から有資格者のいる工場或いは店舗で行うのが好ましいが、設置場所で行うことも可能である。また、本発明の小規模ＰＢＸ用接続ボックスは、基本的に、使用者の使用状況に応じて上述したように主装置に接続して使用者に渡される。しかしながら、すべての接続可能な回線および汎用通信端末機器のための配線を行った状態で使用者に渡すことも可能である。一方、当面利用しないモジュラージャックについては、埃除けのキャップを被せることにより誤配線が行われるのを防止するのが好ましい。
【発明の効果】
【０００８】
本発明によれば、有資格者が小規模ＰＢＸの主装置と接続ボックスとの間の接続を行い、使用場所における回線や汎用通信端末機器への接続は、モジュラージャックを備えた接続コードによって行うため、無資格者でも行うことができる。それにより、工事費を節減でき、施工日時の調整を行うこと必要がなく、小規模ＰＢＸの導入を促進することができる。
【発明を実施するための最良の形態】
【０００９】
本発明の実施例による小規模ＰＢＸ用接続ボックス１は、図１に示すように、小規模ＰＢＸの主装置２と、主装置２に接続される内線電話機３１、ファクシミリ３２、パソコンを接続するためのモデム３３等の汎用通信端末機器３とを接続するための接続ボックスである。接続ボックス１は主装置２、汎用通信端末機器３および回線４とそれぞれ接続するためのモジュラージャック５を備えている。より詳細には、モジュラージャック５は、主装置２に接続可能な外線数に対応した数（図示の場合、２本）の外線用ジャック５１と、主装置２に接続可能な内線電話機３１の数（図示の場合、８本）に対応した数の電話機用ジャック５２と、ファクシミリ３２を接続するためのＦＡＸ用ジャック５３と、モデム３３を接続するためのモデム用ジャック５４とを含む。各モジュラージャック５の近傍位置にはそのモジュラージャックに接続されるべき接続先を示す文字および／または絵からなる指示マーク６がそれぞれ付されている。
【００１０】
接続ボックス１は、モジュラージャック５と主装置２との間を接続するための接続コード７を更に備えている。接続コード６の一端は各モジュラージャック５にそれぞれ接続されており、他端は使用する主装置に応じた接続形態、好ましくは、作業性を高める観点から、差込型電線コネクタやＰ.Ｔ.コネクタ等のコネクタ（図示なし）が適用される。接続コード６と主装置２との接続は有資格者によって行われ、使用する主装置によってその作業内容が異なる。
【００１１】
上述の如く構成される本発明の小規模ＰＢＸ用接続ボックス１は、まず、有資格者によって主装置２に接続される。有資格者は、使用者から希望する使用状況、すなわち、使用する回線数、使用する汎用通信端末機器の種別および数を聞き、それに対応して主装置２と接続ボックス１との間の配線を行う。主装置と接続ボックスとの間の配線作業が完了すると、この状態で使用者に渡されるが、それ以降の接続は、モジュラープラグを備えた接続コードを用いて行われるため、有資格者によることなしに行うことができる。使用者は、各モジュラージャック５近傍に設けられたマーク６を参照することにより、そのモジュラージャックに繋ぐべき機器或いは回線を確実に接続することができる。
【００１２】
主装置と接続ボックスとの間の配線作業は、作業効率の観点から有資格者のいる工場或いは店舗で行うのが好ましいが、設置場所で行うことも可能である。また、接続ボックス１の接続コード７は、基本的に、使用者の使用状況に応じて主装置２に接続して使用者に渡される。しかしながら、すべての接続可能な回線および汎用通信端末機器のための配線を行った状態で使用者に渡してもよい。一方、当面利用しないモジュラージャックには、埃除けのキャップ８を被せることにより誤配線が行われるのを防止するのが好ましい。
【図面の簡単な説明】
【００１３】
【図１】本発明の実施例による小規模ＰＢＸ用接続ボックスを示す模式的な図である。
【符号の説明】
【００１４】
１    小規模ＰＢＸ用接続ボックス
２    小規模ＰＢＸの主装置
３    汎用通信端末機器
３１    内線電話機
３２    ファクシミリ
３３    モデム
４    回線
５    モジュラージャック
５１    外線用ジャック
５２    電話機用ジャック
５３    ＦＡＸ用ジャック
５４    モデム用ジャック
６    マーク６
７    接続コード
８    キャップ
【図１】
2005243417.tif 000003